(57)【要約】【課題】  遠距離決済方法及び装置を提供する。【解決手段】  一実施形態に係る遠距離決済方法において、エージェント端末は、カードを指示するカード指示情報を予め格納し、当該のカード指示情報を決済情報と共にカードを所有しているモバイル端末に送信しながら決済許容をリクエストする。モバイル端末は、遠距離でもエージェント端末によって発生する決済を決済条件に応じて自動で許容することができる。【選択図】      図１
2018018522.tif 000002
【特許請求の範囲】
【請求項１】
モバイル端末によって実行される遠距離決済方法において、
エージェント端末から決済情報を受信するステップと、
前記受信された決済情報が決済条件を充足するか否かを判断するステップと、
前記決済条件が充足された場合に応答して、決済許容情報を前記エージェント端末及びサーバのうち少なくとも１つに提供するステップと、
を含む遠距離決済方法。
【請求項２】
前記決済情報を受信するステップは、カード指示情報をさらに受信するステップを含み、
前記受信された決済情報が決済条件を充足するか否かを判断するステップは、前記決済条件が前記カード指示情報に割り当てられた決済条件を充足するか否かを判断するステップを含み、
前記提供するステップは、前記カード指示情報に対応するカード情報をさらに提供するステップを含む、請求項１に記載の遠距離決済方法。
【請求項３】
前記エージェント端末及びユーザのうち少なくとも１つから前記モバイル端末に格納されたカード情報を指示するカード指示情報の生成リクエストを受信するステップと、
前記生成リクエストに応答して、前記カード指示情報を生成して前記エージェント端末に提供するステップと、
を含む、請求項１に記載の遠距離決済方法。
【請求項４】
ユーザ操作の受信に応答して、カード指示情報に前記決済条件を割り当てるステップを含む、請求項１に記載の遠距離決済方法。
【請求項５】
前記決済情報を受信するステップは、前記決済端末と前記エージェント端末との接触に応答して、決済端末によって生成された前記決済情報を前記エージェント端末を介して受信するステップを含み、
前記受信された決済情報が決済条件を充足するか否かを判断するステップは、決済に関する予め設定された複数の項目のうち少なくとも１つの項目が前記決済条件として指定された場合に応答して、前記指定された決済条件のうち少なくとも１つを前記決済情報が充足するか否かを判断するステップを含む、請求項１に記載の遠距離決済方法。
【請求項６】
前記決済情報を受信するステップは、前記エージェント端末から前記エージェント端末に関する機器情報をさらに受信するステップを含み、
前記受信された決済情報が決済条件を充足するか否かを判断するステップは、前記エージェント端末の機器に関する予め設定された複数の項目のうち少なくとも１つの項目が前記決済条件として指定された場合に応答して、前記指定された決済条件のうち少なくとも１つを前記機器情報が充足するか否かを判断するステップを含む、請求項１に記載の遠距離決済方法。
【請求項７】
前記決済情報を受信するステップは、前記エージェント端末にインストールされたh他のアプリケーションによって収集された付加情報を前記エージェント端末からさらに受信するステップを含み、
前記受信された決済情報が決済条件を充足するか否かを判断するステップは、前記他のアプリケーションに関わった予め設定された複数の項目のうち少なくとも１つの項目が前記決済条件として指定された場合に応答して、前記指定された決済条件のうち少なくとも１つを前記付加情報が充足するか否かを判断するステップを含む、請求項１に記載の遠距離決済方法。
【請求項８】
前記決済条件が前記エージェント端末の機器及び前記エージェント端末にインストールされた他のアプリケーションのうち少なくとも１つに関する場合に応答して、前記エージェント端末に関する機器情報及び前記他のアプリケーションによって収集され得る付加情報のうち少なくとも１つを前記エージェント端末にリクエストするステップを含む、請求項１に記載の遠距離決済方法。
【請求項９】
前記決済条件が充足されない場合に応答して、ユーザから前記決済情報に対する許容操作を受信するステップと、
前記許容操作が有効であるか否かを判断するステップと、
前記許容操作が有効な場合に応答して、カード情報及び決済許容情報を前記エージェント端末及び前記サーバのうち少なくとも１つに提供するステップと、
を含む、請求項１に記載の遠距離決済方法。
【請求項１０】
前記許容操作を受信するステップは、前記ユーザから生体信号を受信するステップを含み、
前記許容操作が有効であるか否かを判断するステップは、
前記生体信号にマッチングする予め登録された生体情報をデータベースから検索するステップと、
前記生体信号にマッチングする生体情報が検索された場合に応答して、前記許容操作が有効であるか否かを判断するステップと、
を含む、請求項９に記載の遠距離決済方法。
【請求項１１】
遠距離決済アプリケーションを実行するステップと、
前記遠距離決済アプリケーションに関するエージェントアプリケーションがインストールされたエージェント端末に対して、前記遠距離決済アプリケーションと前記エージェントアプリケーションとの間の通信を樹立するステップと、
をさらに含み、
前記決済情報を受信するステップは、前記遠距離決済アプリケーションと前記エージェントアプリケーションとの間に樹立される通信を介して前記決済情報を受信するステップを含み、
前記提供するステップは、前記遠距離決済アプリケーションと前記エージェントアプリケーションとの間に樹立される通信を介してカード情報及び決済許容情報を前記エージェント端末に送信するステップを含む、請求項１に記載の遠距離決済方法。
【請求項１２】
遠距離決済を行うエージェント端末において、
決済情報及びモバイル端末に格納されたカード情報を指示するカード指示情報を前記モバイル端末に送信し、
前記モバイル端末から前記決済情報に対応する決済が許容される場合に応答して、決済端末及びサーバのうち少なくとも１つに前記カード指示情報に対応する前記カード情報を伝達する通信部を含む、エージェント端末。
【請求項１３】
前記カード指示情報を前記モバイル端末から受信して格納し、
遠距離決済アプリケーションを実行する間に、ユーザ操作の受信に応答して前記カード指示情報を選択する処理部をさらに含み、
前記通信部は、前記モバイル端末から前記カード指示情報に対応する前記カード情報が受信される場合に応答して、決済端末及びサーバのうち少なくとも１つに前記カード情報を伝達する、請求項１２に記載のエージェント端末。
【請求項１４】
なくとも１つのカード情報を格納する格納部と、
前記少なくとも１つのカード情報のうち１つのカード情報に対応するカード指示情報を生成する処理部と、
をさらに含み、
前記通信部は、
前記生成されたカード指示情報を前記モバイル端末に送信し、
前記モバイル端末から前記決済に対応する決済許容情報が受信された場合に応答して、決済端末及びサーバのうち少なくとも１つに前記カード情報を伝達する、請求項１２に記載のエージェント端末。
【請求項１５】
前記通信部は、前記カード指示情報に割り当てられた決済条件を前記決済情報が充足する場合に応答して、前記決済情報及び前記カード指示情報に対応する前記カード情報を前記モバイル端末に対してリクエストし、
前記決済条件を前記決済情報が充足しない場合に応答して、前記決済情報及び前記カード指示情報の送信を排除する、請求項１２に記載のエージェント端末。
【発明の詳細な説明】
【技術分野】
【０００１】
以下、遠距離決済方法及び装置が提供される。
【背景技術】
【０００２】
スマートフォンの拡散は、モバイル機器を単なる通信媒体からコミュニケーション、流通、インターネット、決済などの様々な機能が可能な機器に進化させることで、社会文化、金融、流通産業分野の全般にわたって変化をもたらした。特に、支給決済分野でスマートフォンを通したモバイル決済方式の拡散は、現金からプラスチックカードへ履行してきた決済手段の中心軸に新しい変化をもたらしている。モバイル決済サービス（Ｍｏｂｉｌｅ  Ｐａｙｍｅｎｔ  Ｓｅｒｖｉｃｅ）は、オンラインとオフライン上で行われるサービスと財貨購買時にモバイル機器を用いて代金を支払うサービスである。例えば、従来におけるＮＦＣ（Ｎｅａｒ  Ｆｉｅｌｄ  Ｃｏｍｍｕｎｉｃａｔｉｏｎ）通信モジュールを用いた決済方式は、支払い者の信用カード情報を販売時点情報管理システム（ＰＯＳシステム、ｐｏｉｎｔ  ｏｆ  ｓａｌｅ  ｓｙｓｔｅｍ）によって一対一に直接提供した。同様に、インターネットの購買は、販売者のインターネットサイトの決済項目を介して信用カード情報を一対一に直接提供した。
【発明の概要】
【発明が解決しようとする課題】
【０００３】
本発明の目的は、遠距離決済方法及び装置を提供することにある。
【課題を解決するための手段】
【０００４】
一実施形態によれば、モバイル端末によって実行される遠距離決済方法は、エージェント端末から決済情報を受信するステップと、前記受信された決済情報が決済条件を充足するか否かを判断するステップと、前記決済条件が充足された場合に応答して、決済許容情報を前記エージェント端末及びサーバのうち少なくとも１つに提供するステップとを含む。
【０００５】
前記決済情報を受信するステップは、カード指示情報をさらに受信するステップを含み、前記受信された決済情報が決済条件を充足するか否かを判断するステップは、前記決済条件が前記カード指示情報に割り当てられた決済条件を充足するか否かを判断するステップを含み、前記提供するステップは、前記カード指示情報に対応するカード情報をさらに提供するステップを含み得る。
【０００６】
方法は、前記エージェント端末及びユーザのうち少なくとも１つから前記モバイル端末に格納されたカード情報を指示するカード指示情報の生成リクエストを受信するステップと、前記生成リクエストに応答して、前記カード指示情報を生成して前記エージェント端末に提供するステップとを含み得る。
【０００７】
方法は、ユーザ操作の受信に応答して、カード指示情報に前記決済条件を割り当てるステップを含み得る。
【０００８】
前記決済情報を受信するステップは、前記決済端末と前記エージェント端末との接触に応答して、決済端末によって生成された前記決済情報を前記エージェント端末を介して受信するステップを含み、前記受信された決済情報が決済条件を充足するか否かを判断するステップは、決済に関する予め設定された複数の項目のうち少なくとも１つの項目が前記決済条件として指定された場合に応答して、前記指定された決済条件のうち少なくとも１つを前記決済情報が充足するか否かを判断するステップを含み得る。
【０００９】
前記決済情報を受信するステップは、前記エージェント端末から前記エージェント端末に関する機器情報をさらに受信するステップを含み、前記受信された決済情報が決済条件を充足するか否かを判断するステップは、前記エージェント端末の機器に関する予め設定された複数の項目のうち少なくとも１つの項目が前記決済条件として指定された場合に応答して、前記指定された決済条件のうち少なくとも１つを前記機器情報が充足するか否かを判断するステップを含み得る。
【００１０】
前記決済情報を受信するステップは、前記エージェント端末にインストールされたh他のアプリケーションによって収集された付加情報を前記エージェント端末からさらに受信するステップを含み、
【００１１】
前記受信された決済情報が決済条件を充足するか否かを判断するステップは、前記他のアプリケーションに関わった予め設定された複数の項目のうち少なくとも１つの項目が前記決済条件として指定された場合に応答して、前記指定された決済条件のうち少なくとも１つを前記付加情報が充足するか否かを判断するステップを含み得る。
【００１２】
方法は、前記決済条件が前記エージェント端末の機器及び前記エージェント端末にインストールされた他のアプリケーションのうち少なくとも１つに関する場合に応答して、前記エージェント端末に関する機器情報及び前記他のアプリケーションによって収集され得る付加情報のうち少なくとも１つを前記エージェント端末にリクエストするステップを含み得る。
【００１３】
方法は、前記決済条件が充足されない場合に応答して、ユーザから前記決済情報に対する許容操作を受信するステップと、前記許容操作が有効であるか否かを判断するステップと、前記許容操作が有効な場合に応答して、カード情報及び決済許容情報を前記エージェント端末及び前記サーバのうち少なくとも１つに提供するステップとを含み得る。
【００１４】
前記許容操作を受信するステップは、前記ユーザから生体信号を受信するステップを含み、前記許容操作が有効であるか否かを判断するステップは、前記生体信号にマッチングする予め登録された生体情報をデータベースから検索するステップと、前記生体信号にマッチングする生体情報が検索された場合に応答して、前記許容操作が有効であるか否かを判断するステップとを含み得る。
【００１５】
方法は、遠距離決済アプリケーションを実行するステップと、前記遠距離決済アプリケーションに関するエージェントアプリケーションがインストールされたエージェント端末に対して、前記遠距離決済アプリケーションと前記エージェントアプリケーションとの間の通信を樹立するステップとをさらに含み、前記決済情報を受信するステップは、前記遠距離決済アプリケーションと前記エージェントアプリケーションとの間に樹立される通信を介して前記決済情報を受信するステップを含み、前記提供するステップは、前記遠距離決済アプリケーションと前記エージェントアプリケーションとの間に樹立される通信を介してカード情報及び決済許容情報を前記エージェント端末に送信するステップを含み得る。
【００１６】
一実施形態に係る遠距離決済を行うエージェント端末は、決済情報及びモバイル端末に格納されたカード情報を指示するカード指示情報を前記モバイル端末に送信し、前記モバイル端末から前記決済情報に対応する決済が許容される場合に応答して、決済端末及びサーバのうち少なくとも１つに前記カード指示情報に対応する前記カード情報を伝達する通信部を含む。
【００１７】
前記エージェント端末は、前記カード指示情報を前記モバイル端末から受信して格納し、遠距離決済アプリケーションを実行する間に、ユーザ操作の受信に応答して前記カード指示情報を選択する処理部をさらに含み、前記通信部は、前記モバイル端末から前記カード指示情報に対応する前記カード情報が受信される場合に応答して、決済端末及びサーバのうち少なくとも１つに前記カード情報を伝達し得る。
【００１８】
前記エージェント端末は、なくとも１つのカード情報を格納する格納部と、前記少なくとも１つのカード情報のうち１つのカード情報に対応するカード指示情報を生成する処理部とをさらに含み、前記通信部は、前記生成されたカード指示情報を前記モバイル端末に送信し、前記モバイル端末から前記決済に対応する決済許容情報が受信された場合に応答して、決済端末及びサーバのうち少なくとも１つに前記カード情報を伝達し得る。
【００１９】
前記通信部は、前記カード指示情報に割り当てられた決済条件を前記決済情報が充足する場合に応答して、前記決済情報及び前記カード指示情報に対応する前記カード情報を前記モバイル端末に対してリクエストし、前記決済条件を前記決済情報が充足しない場合に応答して、前記決済情報及び前記カード指示情報の送信を排除し得る。
【発明の効果】
【００２０】
本発明によると、遠距離決済方法及び装置を提供することができる。
【図面の簡単な説明】
【００２１】
【図１】一実施形態に係る遠距離決済システムを概略的に示す図である。
【図２】一実施形態に係る遠距離決済装置の構成を示すブロック図である。
【図３】一実施形態に係る遠距離決済装置の構成を示すブロック図である。
【図４】一実施形態に係る第２ユーザ端末による遠距離決済方法を示すフローチャートである。
【図５】一実施形態に係る第１ユーザ端末による遠距離決済方法を示すフローチャートである。
【図６】一実施形態に係る遠距離決済において第２ユーザ端末が直接的に決済を許容する過程を示す図である。
【図７】一実施形態に係る遠距離決済において第２ユーザ端末が直接的に決済を許容する過程を示す図である。
【図８】他の一実施形態に係る遠距離決済において第２ユーザ端末が間接的に決済を許容する過程を示す図である。
【図９】他の一実施形態に係る遠距離決済において第２ユーザ端末が間接的に決済を許容する過程を示す図である。
【図１０】他の一実施形態に係る遠距離決済方法を詳細に示すフローチャートである。
【図１１】一実施形態に係る遠距離決済過程を詳細に示す図である。
【図１２】少なくとも１つの実施形態に係る遠距離決済の活用例示を示す図である。
【図１３】少なくとも１つの実施形態に係る遠距離決済の活用例示を示す図である。
【図１４】少なくとも１つの実施形態に係る遠距離決済の活用例示を示す図である。
【発明を実施するための形態】
【００２２】
以下、実施形態を添付する図面を参照しながら詳細に説明する。しかし、特許出願の範囲がこのような実施形態によって制限されたり限定されることはない。各図面に提示された同一の参照符号は同一の部材を示す。
【００２３】
以下で説明する実施形態には様々な変更が加えられ得る。以下で説明する実施形態は実施形態に対して限定しようとすることではなく、これに対する全ての変更、均等物ないし代替物を含むものとして理解されなければならない。
【００２４】
実施形態で使用する用語は特定な実施形態を説明するためのものであって、本発明を限定しようとする意図はない。単数の表現は、文脈上、明白に異なる意味をもたない限り複数の表現を含む。本明細書において、「含む」又は「有する」等の用語は明細書上に記載した特徴、数字、ステップ、動作、構成要素、部品又はこれらを組み合わせたものが存在することを示すものであって、１つ又はそれ以上の他の特徴や数字、ステップ、動作、構成要素、部品、又はこれを組み合わせたものなどの存在又は付加の可能性を予め排除しないものとして理解しなければならない。
【００２５】
異なる定義さがれない限り、技術的であるか又は科学的な用語を含むここで用いる全ての用語は、本実施形態が属する技術分野で通常の知識を有する者によって一般的に理解されるものと同じ意味を有する。一般的に用いられる予め定義された用語は、関連技術の文脈上で有する意味と一致する意味を有するものと解釈すべきであって、本明細書で明白に定義しない限り、理想的又は過度に形式的な意味として解釈されることはない。
【００２６】
また、添付図面を参照して説明することにおいて、図面符号に関係なく同じ構成要素は同じ参照符号を付与し、これに対する重複説明は省略することにする。実施形態の説明において、関連する公知技術に対する具体的な説明が実施形態の要旨を不要に曖昧にすると判断される場合、その詳細な説明は省略する。
【００２７】
モノ又はサービスを購入するための代表的な決済手段として、マグネチックカードあるいは決済機能の搭載されたモバイル機器などが使用されている。上述した決済手段を利用すると、ユーザは契約により使用の承認された決済方法又は貨幣（ｔｅｎｄｅｒ）を用いて実際の貨幣である現金を所持する必要なしに決済することができる。また、ユーザは、通信可能な個人端末を介してインターネット電子商の取引を行うためのオンライン決済システムに接続してマグネチックカード、現金入金などの決済手段を用いることができる。ただし、上述した決済手段は、委託決済が不可能であるか不便なこともある。委託決済とは、契約した貨幣を使用できる権限がないものの、第１ユーザによって貨幣を使用するよう契約的に承認された第２ユーザにより貨幣を使用して行われる決済である。例えば、法人カードの委託決済の場合、ユーザは決済後に領収書を処理しなければならない不便があり、決済のできない項目に対してミスで決済した場合、自分の費用で負担するリスクの発生もある。さらに、取引の内訳が不透明に管理されるリスクもあり得る。
【００２８】
これに関して、最近のスマート機器（例えば、スマートフォン、タブレットＰＣなど）が発展しながら、スマート機器が決済手段として活用されている。スマート機器は、決済機能、格納機能、演算機能、通信機能、及びセキュリティー機能を統合的に行う機器を示す。下記では、より便利な代理決済の可能な遠距離決済方法及び装置について説明する。
【００２９】
ここで、他の実施形態と比較すると、限定された地域で直接的に決済者と販売者との間の一対一に決済する方法は、許容決済者（ａｕｔｈｏｒｉｚｉｎｇ  ｐａｙｅｒ）の信用カードを用いた代理決済に対応する。許容決済者の装置と販売者の決済装置との間、又は許容決済者の装置と代理ユーザの仲介装置との間の任意の相互作用とは別途又は独立的に、販売者の決済装置と局所又は直接的に相互作用する代理ユーザの仲介装置によって信用カード情報又はそのような情報を受信し、その結果、許容決済者は、販売者と代理ユーザとの間の地域又は直接的な決済交換から遠く離れていることがある。自動化されたプロセスにより、許容決済者の装置は提供又は受信される遠距離承認ユーザのクレジットカード又はそのような情報を以前に条件付きで代理ユーザの使用又はアクセスを認証するように構成されるか、又は決済交換時に提供又は受信されるクレジットカード又はそのような情報をリアルタイムに使用又はアクセスを認証するように構成できる。
【００３０】
非制限的な例として、代理ユーザは、自動化システム及びプロセスによって予め設定された条件に基づいて、予め承認された許容決済者の友人、ヘルパー又は親戚であり得る。許容決済者の信用カードの使用は、例えば、友人、ヘルパー又は親戚の決済可能装置を使用したり、又は許容決済者が許容する承認のための自動化システムとプロセッサにより友人、ヘルパー、又は、親戚（又は、遠距離決済者）が決済した場合になる。許容決済者の使用は、例えば、友人、ヘルパー又は知り合いの購買又は決済に対して信用カード又はそのような情報をリアルタイムに決済可能装置に送信する。他の非制限的な例として、代理ユーザは、雇用−許容決済者（ｅｍｐｌｏｙｅｒ−ａｕｔｈｏｒｉｚｉｎｇ  ｐａｙｅｒ）の職員又は代理人であってもよく、ここで、職員又は代理人は、例えば、承認決済者の信用カード又はそのような情報を使用するよう予め承認される。購買又はサービスを自動システム及びプロセスにより予め承認された条件に応じて行ったり、又は承認者が自動化システムにより雇用人の支給人の例示信用カード又は同じ情報を使用してリアルタイムに購買又は決済交換を承認できる。ここで、一例について説明されたが、実施形態は同じく制限されることなく追加及び代案的な実施形態を利用することができる。
【００３１】
したがって、以下において１つ以上の実施形態に係る代理決済のために容易に使用され得る遠距離決済方法及び装置がさらに説明される。
【００３２】
図１は、一実施形態に係る遠距離決済システムを概略的に示す図である。
【００３３】
遠距離決済システム１００は、第１ユーザ端末１１０、第２ユーザ端末１２０、サーバ１３０、及び決済端末１４０を含む。
【００３４】
第１ユーザ端末１１０は、第２ユーザ端末１２０に代替して決済を代理する端末を示したり、又は第２ユーザ端末１２０のカード情報を用いて第１ユーザ端末１１０を代理する端末を示す。第２ユーザ端末１２０は、第２ユーザ端末１２０又は第１ユーザ端末１１０に格納される例示的なカード情報を有するユーザの端末であってもよく、例示的なカード情報は、代理決済のために第１ユーザ端末１１０の代表ユーザによって使用されてもよい。一実施形態によれば、第１ユーザ端末１１０と決済端末１４０との間の決済過程で、第１ユーザ端末１１０は、第２ユーザ端末１２０から予め受信されたカード情報を用いたり、又はカード情報が伝達されて決済端末１４０に対して決済をリクエストし、第２ユーザ端末１２０からカード情報を受信して第２ユーザ端末１２０から第１ユーザ端末１１０に予め提供されたカード情報を使用するための権限を受信する。例えば、第１ユーザ端末１１０は、第２ユーザ端末１２０が、有線通信又は無線通信を用いて第２ユーザ端末１２０に対して決済の許容をリクエストし得る。以下では、第１ユーザ端末１１０はエージェント端末（ａｇｅｎｔ  ｔｅｒｍｉｎａｌ）又は代表端末のように示す。
【００３５】
本明細書におけるカードは、当該カードを発行（ｉｓｓｕｅ）したカード発行社と契約を結んだ加盟店で財貨又はサービスを現金なしで購買できる決済手段を示す。例えば、カードは、カード発行社とユーザとの間の契約形態に応じて、信用カード、デビットカード、ポイントカードなどのように分類し、物理的な形態に応じて、マグネチックカード、ＩＣカードなどのように分類する。ここで、カードの用語に対する意味に関する例が提供されたが、実施形態がそれに限定されることはない。
【００３６】
本明細書におけるカード情報は、上述したカードに関する情報として、例えば、カード番号、当該カードの有効期間、当該カードのパスワード、カードセキュリティーコード（ＣＳＣ：Ｃａｒｄ  Ｓｅｃｕｒｉｔｙ  Ｃｏｄｅ）などを含む。ここで、カードセキュリティー情報は、カード認証値（ＣＶＶ：Ｃａｒｄ  Ｖｅｒｉｆｉｃａｔｉｏｎ  Ｖａｌｕｅ）、カード認証コード（ＣＶＣ：Ｃａｒｄ  Ｖｅｒｉｆｉｃａｔｉｏｎ  Ｃｏｄｅ）のように示してもよい。
【００３７】
第２ユーザ端末１２０は、予め設定された決済条件又は第２ユーザ端末１２０のユーザ（以下、第２ユーザ）の行為などに基づいて第１ユーザ端末１１０と決済端末１４０との間の決済を許容する端末であって、例えば、第１ユーザ端末１１０と決済端末１４０との間でリアルタイムに動作する。
【００３８】
第２ユーザ端末１２０は、第１ユーザ端末１１０によって第２ユーザ端末１２０で識別された決済条件又は決済状況に基づいて決済のための許可を予め承認する。例えば、第１ユーザ端末１１０のユーザ（又は、第１ユーザ端末１１０）は、第２ユーザ端末１２０として例示された予め設定された決済条件を提案したり、決済取引が始まる前に状況リクエストを第２ユーザ端末１２０に提供する。第２ユーザ端末１２０のユーザ（又は予め設定された条件に基づいた第２ユーザ端末１２０）は単に予め承認リクエストを承認したり拒否するだけである。以下では、第２ユーザ端末１２０のユーザは第２ユーザ又は決済者又は代表ユーザとして称し、第２ユーザ端末１２０をモバイル端末に示す。ここで、モバイル端末である第２ユーザ端末１２０に対する言及は、第２ユーザ端末１２０をモバイルに制限しようとするためではなく、第１ユーザ端末１１０から遠く離れている第２ユーザ端末１２０の非制限的な潜在力を称したり、第１ユーザ端末１１０と決済端末１４０との間の決済取引から分離することを示す。
【００３９】
本明細書で決済条件は、任意の決済行為又は決済行為範疇に対して遠距離決済装置が当該の決済又は製品のための決済、又は予め承認された購買範疇に該当するサービス又は複数のサービスを許容するように予め設定された条件を示す。一実施形態によれば、決済条件は、第２ユーザ端末１２０によって設定されてもよい。付加的又は代案的な例として、決済条件は、第１ユーザ端末１１０によって設定されてもよい。例えば、現在の決済が予め設定された決済条件を充足する場合、第２ユーザ端末１２０は、例えば、第２ユーザによって実行された入力又は追加的な承認を要求しないか、第１ユーザ端末１１０は別途の承認なしで以前に提供されたカード情報を用いて自動的に決済を許容するか、第２ユーザ端末１２０がカード情報を提供することで第２ユーザ端末１２０は当該の決済を自動に許容することができる。以下、本明細書で遠距離決済装置は、第１ユーザ端末１１０及び第２ユーザ端末１２０のうちの１つを示す。
【００４０】
サーバ１３０は、第１ユーザ端末１１０、第２ユーザ端末１２０、及び決済端末１４０のうち少なくとも１つから決済リクエストを受信し、受信された決済リクエストを承認するか否かを決定する。例えば、サーバ１３０は、決済リクエストが正当なものであるかを検証し、実際の決済が行われるように処理する。サーバ１３０は、当該のカード発行機関の決済処理サーバや他の決済センターサーバであり得る。
【００４１】
決済端末１４０は、サーバ１３０に決済リクエストを伝達する端末を示す。一実施形態によれば、決済端末１４０は、第１ユーザ端末１１０から決済リクエストを受信してサーバ１３０に伝達し、決済結果をサーバ１３０から受信する。例えば、決済端末１４０は、カード発行社と契約を結んだ加盟店に設けられる販売時点情報管理システム（ＰＯＳシステム：Ｐｏｉｎｔ  Ｏｆ  Ｓａｌｅ  ｓｙｓｔｅｍ）であってもよい。
【００４２】
一例として、ＰＯＳシステムは、近距離通信（ＮＦＣ；Ｎｅａｒ  Ｆｉｅｌｄ  Ｃｏｍｍｕｎｉｃａｔｉｏｎ）、ＲＦＩＤ又はＷｉ−Ｆｉアンテナに対応する通信ハードウェアモジュールだけではなく、有線通信ハードウェアモジュールを含み、決済リクエスト、決済結果、決済情報、承認リクエスト及び確認、生成されたカード表示情報又はカード情報などを１つ以上の他のユーザ端末又はサーバと遠隔的、地域的、又は、直接的に交換するためのインターフェース又は相互作用構成を含む。例えば、決済端末１４０は、ＮＦＣ環境で、決済端末１４０のアンテナと第１ユーザ端末１１０のアンテナとの間に結合、ペアリング又はリンクされるように構成される。決済端末１４０との情報交換は、安全のために暗号化されてもよい。
【００４３】
一実施形態に係る遠距離決済システム１００は、決済機能を含むスマートフォン、タブレットＰＣなどに適用され、第１ユーザ端末１１０、第２ユーザ端末１２０、及び決済端末１４０のうち任意の端末は、モバイル、非モバイル又は一般的に固定された端末を含んでいる例示的な端末である。例えば、遠距離決済システム１００は、サムスンペイなどのような少なくとも１つのモバイル決済技術と結合されたり、少なくとも１つのモバイル決済技術として実現される。
【００４４】
遠距離決済システム１００は、遠距離にあるカードの持ち主の手動承認又は認証がなくとも決済条件を充足すれば、自動で代理決済を許容することができる。そのため、決済システム１００は、第１ユーザ端末１１０で収集された決済に関する情報をカードの持ち主が使用する端末である第２ユーザ端末１２０に伝達する。そして、決済システム１００は、第２ユーザ端末１２０で予め設定された条件が満たされる対応する決済情報に基づいて、第１ユーザ端末１１０と決済端末１４０との間の代理決済を自動で許容できる。
【００４５】
図２及び図３は、一実施形態に係る遠距離決済装置の構成を示すブロック図である。
【００４６】
図１に示された第１ユーザ端末（例えば、エージェント端末）及び第２ユーザ端末（例えば、モバイル端末）は、図２及び図３に示された遠距離決済装置として構成される。例えば、図２及び図３に示された遠距離決済装置は、代理決済を行う場合にエージェント端末として動作し、代理決済に対する許容の有無を決定する場合にはモバイル端末として動作する。一例として、１つの決済取引に対して、遠距離決済装置は、決済端末としてローカル又は対面代理決済のためのエージェント端末として動作し、他の取引で同一の遠距離決済装置は、モバイル端末又は代理端末として動作し、他の遠距離決済装置と他の決済端末（又は、同一の決済端末）との間に代理決済が許容されるか否かを制御する。
【００４７】
図２に示された遠距離決済装置２００は、通信部２１０及び処理部２２０を含む。
【００４８】
通信部２１０は、少なくとも１つの外部端末、サーバ又は装置と通信するように構成された通信ハードウェアである。通信部２１０は、ユーザ端末、決済端末又はサーバと通信する。例えば、通信部２１０は、無線通信及び有線通信のうち少なくとも１つを用いて他の装置と通信するように制御される。一実施形態によれば、モバイル端末の通信部２１０は、エージェント端末から決済情報及びカード指示情報を受信する。エージェント端末の通信部２１０は、モバイル端末に決済場所及びカード指示情報を送信する。
【００４９】
本明細書において、カード指示情報は、カード又はカード情報を指示する情報を示し、カード情報とは区別される。例えば、カード指示情報は、カード情報を指示する一連番号（ｓｅｒｉａｌ  ｎｕｍｂｅｒ）、記号（ｓｙｍｂｏｌ）、文字（ｌｅｔｔｅｒ）、及び数字（ｎｕｍｂｅｒ）などを含む。また、カード指示情報は、例えば、遠距離決済アプリケーションで決済承認をリクエストするモバイル端末の連絡先（例えば、モバイル端末の電話番号、又は、モバイル端末にインストールされたアプリケーションの識別子など）であり得る。異なる例として、カード指示情報はカード情報に基づいて生成され、例えば、カード番号の少なくとも一部として構成される一連番号（例えば、カード番号の最後の４桁数字列など）のいずれか１つ以上であり得る。一実施形態によれば、カード指示情報は、モバイル端末に格納されたカード情報のうちいずれか１つを指示する情報であるか、モバイル端末に格納されたカード情報のうち、モバイル端末の主なユーザが許可されたユーザであるカードを識別又は区別する情報を示す。
【００５０】
本明細書における決済情報は決済に関する情報として、例えば、決済のリクエストされた加盟店の業種、業者名、業者アドレス、品目、取引に関する金額、及び代理ユーザが試みている現在の取引に関する情報などのいずれか１つ以上である。また、決済情報は、決済をリクエストする決済リクエストも含み得る。例えば、決定情報は、代理ユーザの遠距離決済装置２００から主ユーザ（ｍａｓｔｅｒ  ｕｓｅｒ）の遠距離決済装置２００に送信され得る。
【００５１】
処理部２２０は、遠距離決済方法を第１ユーザ及び第２ユーザのうち少なくとも１つに提供するための処理を行う。また、処理部２２０は、通信部２１０を制御する。一実施形態によれば、モバイル端末の処理部２２０は、カード指示情報に割り当てられた決済条件を決済情報が充足するか否かを判断し、決済条件が充足された場合に応答して、カード指示情報に対応するカード情報をエージェント端末及びサーバのうち少なくとも１つに通信部２１０を用いて提供する。エージェント端末の処理部２２０は、第１ユーザの操作に応答してモバイル端末に伝達するカード指示情報を生成したり選択する。
【００５２】
他の一実施形態によれば、モバイル端末の通信部２１０は、エージェント端末からカード指示情報に対する提供リクエストを受信する。モバイル端末の処理部２２０は提供リクエストに応答して、カード指示情報を生成してエージェント端末にカード指示情報を提供する。その後、モバイル端末の処理部２２０は、エージェント端末からカード指示情報に基づいた決済情報が受信される場合に応答して、決済情報に対応する決済を許容するか否かを決定する。
【００５３】
図３に示された遠距離決済装置３００は、通信部３１０、処理部３２０、格納部３３０、ディスプレイ３４０、入力受信部３５０、及び接触検出部３６０を含む。
【００５４】
通信部３１０は、図２を参照して上述した通信部２１０と類似に動作する。
【００５５】
処理部３２０は、遠距離決済方法を行うように通信部３１０、格納部３３０、ディスプレイ３４０、入力受信部３５０、及び接触検出部３６０のうち少なくとも１つを制御する。また、処理部３２０は、遠距離決済装置３００の動作に必要な処理を行う。ここで、処理の実行は、格納部３３０内に格納されたプログラムコードを実行することを示す。例えば、処理の実行は、遠距離決済装置３００のアプリケーションプログラム又は機能を実現するための命令を実行する動作に対応する。一実施形態によれば、遠距離決済装置３００は、遠距離決済方法以外のそれぞれの固有機能を有する移動電話、タブレット、ノート型パソコン又はスマート時計のような着用装置であり得る。他の実施形態によれば、遠距離決済装置３００は、デスクトップコンピュータ、テレビ、スマートホームハブ、車両などのような類型の端末装置であり得る。
【００５６】
格納部３３０は、１つ以上の非一時的なコンピュータで読み出し可能な記録媒体として、遠距離決済装置３００を動作させるための命令語を含むプログラムを格納する。格納部３３０に格納されたプログラムは、上述した処理部３２０によって実行される。遠距離決済方法を実行させるための命令語を含むプログラムを遠距離決済アプリケーションのように示す。一実施形態に係るモバイル端末の格納部３３０は、カード情報を格納する。また、エージェント端末の格納部３３０は、カード指示情報及びカード情報のうち少なくとも１つを格納する。法律上、カード委託が禁止される場合、エージェント端末の格納部３３０は、カード指示情報のみを格納してカード情報は排除する。また、このような例によれば、遠距離決済装置３００の地域が当該のプロセッサ３２０によって変更されたものと判断されれば、当該のプロセッサ３２０は、カード表示情報及びカード情報の全てを格納するように格納部３３０を制御する。
【００５７】
ディスプレイ３４０は、ユーザに遠距離決済に関する画面（例えば、対応する遠距離決済装置３００によって実行される例示的な遠距離決済アプリケーションのページ又はイメージ）を表示する。ディスプレイ３４０は、処理部３２０の制御に応答して、ユーザに遠距離決済に関する情報に基づいた画面を表示する。例えば、モバイル端末のディスプレイ３４０は、遠距離決済に対する許容の有無、遠距離決済が選択的に許容されるか否か、又は遠距離決済がどのような条件で自動許容されるかに関するインターフェースを第２ユーザに視覚的に表現する。異なる例として、エージェント端末のディスプレイ３４０は、遠距離決済の結果に関するインターフェースを第１ユーザに視覚的に表現してもよい。例えば、ユーザインターフェースは、遠距離決済が自動許容され得る提案された条件が代理ユーザによって入力されるように構成し、提案された条件の許可又は修正のために提供される。ただし、視覚化される情報が上述によって限定されるこなく、設計に応じて変更され得る。
【００５８】
入力受信部３５０は、ユーザからユーザ入力を受信する。一実施形態によれば、入力受信部３５０を介して受信された入力は処理部３２０により遠距離決済に関する命令に変換される。例えば、ユーザ入力は、複数のカード情報のうち１つのカード情報を選択する入力、及び複数のカード指示情報のうち１つのカード指示情報を選択する入力などを含む。本明細書における入力は、遠距離決済において第１ユーザ及び第２ユーザから受信される全ての操作による入力を含む。例えば、ユーザ入力は、タッチ基盤ディスプレイ３４０に対するタッチ操作、ポインティングデバイス（例えば、マウスなど）によるクリック操作、電子ペンによる接触形成、及び仮想現実（ＶＲ：ｖｉｒｔｕａｌ  ｒｅａｌｉｔｙ）／拡張現実（ＡＲ：ａｕｇｍｅｎｔｅｄ  ｒｅａｌｉｔｙ）に対する操作による入力などを全て含み得る。
【００５９】
接触検出部３６０は、端末の動作により端末と決済端末（例えば、他の端末）との間の接触を検出する。例えば、接触検出部３６０は、エージェント端末と決済端末との間の接触を検出する。一実施形態によれば、接触検出部３６０は、エージェント端末と決済端末との間の距離が閾値距離以下であると判断された場合に応答して、エージェント端末と決済端末との間に接触が発生したものと判断する。例えば、接触検出部３６０は、エージェント端末と決済端末との間の近接場通信（ＮＦＣ：Ｎｅａｒ  Ｆｉｅｌｄ  Ｃｏｍｍｕｎｉｃａｔｉｏｎ）を介して接触を検出する。ここで、エージェント端末の通信部３１０は、決済端末とエージェント端末との間の接触に応答して、決済端末から決済情報を受信する。エージェント端末は、例えば、決済情報をモバイル端末に送信してもよい。
【００６０】
一実施形態によれば、モバイル端末は、第２ユーザ（例えば、決済者）が時間的、空間的な制約のために現場で直接カード決済ができない場合、現場にある第１ユーザ（例えば、代理決済者）のエージェント端末を媒介体として用いることで遠距離決済を向上させ得る。そのために、モバイル端末及びエージェント端末には、遠距離決済アプリケーションがインストールされ得る。ただし、これに限定することなく、モバイル端末及びエージェント端末には互いに異なるアプリケーションがインストールされ、２つのアプリケーションは共通するプロトコルを有する遠距離決済モジュールを含むことができる。
【００６１】
図４は、一実施形態に係る第２ユーザ端末による遠距離決済方法を示すフローチャートである。
【００６２】
まず、ステップＳ４１０において、モバイル端末は、エージェント端末から決済情報を受信する。また、モバイル端末は、エージェント端末から決済情報に加えて、カード指示情報をさらに受信し得る。例えば、モバイル端末は、決済端末とエージェント端末との接触に応答して、決済端末によって生成された決済情報をエージェント端末を介して受信する。
【００６３】
一実施形態によれば、モバイル端末は、決済情報の受信に応答して遠距離決済アプリケーションを実行する。例えば、モバイル端末は、遠距離決済アプリケーションに関するエージェントアプリケーションがインストールされたエージェント端末に対して、遠距離決済アプリケーションとエージェントアプリケーションとの間の通信チャネルを樹立する。例えば、モバイル端末は、遠距離決済アプリケーションとエージェントアプリケーションとの間に樹立される通信チャネルを介して決済情報及びカード指示情報を受信する。ここで、通信チャネルは、仮想私設ネットワーク又はセキュリティートンネルのようなセキュリティー通信チャネルであり得る。他の実施形態によれば、モバイル端末は、モバイル端末の遠距離決済アプリケーションとエージェント端末のエージェント遠距離決済アプリケーションとの間に通信チャネルを設定するか、エージェント端末は、エージェント端末のエージェント遠距離決済アプリケーションとモバイル端末の遠距離決済アプリケーションとの間に通信チャネルを設定する。したがって、モバイル端末は、モバイル端末とエージェント端末との間の通信チャネルを介して決済情報、カード指示情報を受信する。エージェント端末は、また、通信チャネルを介してカード指示情報に対応する決済承認情報又はカード情報を受信する。例えば、エージェント端末は、エージェント端末からモバイル端末に決済情報が提供されるものと同じ通信チャネルを介して、決済承認情報又はカード情報を受信できるが、これに限定されることはない。
【００６４】
本明細書におけるエージェントアプリケーション又はエージェント遠距離決済アプリケーションは、遠距離決済アプリケーションに対して遠距離決済に関する通信又は通信チャネルを樹立できるエージェント端末のアプリケーションとして説明する少なくとも１つ又は全ての遠距離決済方法を行うことができる。エージェント端末のエージェントアプリケーションは、モバイル端末の遠距離決済アプリケーションと同一のプログラム命令を有することができるか、又はそれぞれのアプリケーションは互いに異なるが、例えば、同一の遠距離決済モジュールを含んでもよい。したがって、少なくとも１つの実施形態は、プロセッサによって実行されるとき、プロセッサは、少なくとも１つ又は全ての方法を実現する遠距離決済アプリケーション又はエージェント遠距離決済アプリケーションそれぞれの命令を格納する非一時的なコンピュータで読み出し可能な記録媒体を含み得る。
【００６５】
そして、ステップＳ４２０において、モバイル端末は、受信された決済情報が決済条件を充足するか否かを判断する。例えば、モバイル端末は、前記決済条件がカード指示情報に割り当てられた決済条件を充足するか否かを判断する。決済条件は、第２ユーザのユーザ操作により予め割り当てられてもよい。モバイル端末は、決済に関する予め設定された複数の項目のうち少なくとも１つの項目（ｉｔｅｍ）が決済条件として指定された場合に応答して、指定された決済条件のうち少なくとも１つを決済情報が充足するか否かを判断する。決済に関する予め設定された項目は、例えば、業種、業者名、業者アドレス、品目、及び金額範囲のうち少なくとも１つを含む。ただし、決済条件を上述したものに限定することなく、設計に応じて変更され、例示的なシナリオと共に下記の図６ないし図１４を参照して詳細に説明する。
【００６６】
次に、ステップＳ４３０において、モバイル端末は、決済条件が充足した場合に応答して、決済許容情報をエージェント端末及びサーバのうち少なくとも１つに提供する。また、モバイル端末は、決済許容情報に加えて、カード指示情報に対応するカード情報をさらに提供する。例えば、モバイル端末は、遠距離決済アプリケーションとエージェントアプリケーションとの間に樹立される通信を介してカード情報及び決済許容情報をエージェント端末に送信したり、カード情報及び決済許容情報をサーバに直接送信し得る。
【００６７】
一実施形態によれば、モバイル端末は、決済情報が決済条件を充足する場合に応答して、当該の決済情報に対応する決済を許容し、カード指示情報に対応するカード情報をエージェント端末に提供する。エージェント端末はカード情報を格納することなく決済端末に伝達し、決済端末は、当該のカード情報をサーバに伝達しながら決済承認をリクエストする。
【００６８】
他の一実施形態によれば、モバイル端末は、決済を許容した場合、サーバにカード情報を提供しながら直接決済承認をリクエストする。この場合、サーバは、モバイル端末から受信された決済リクエスト及び決済情報に基づいて決済承認の有無を決定し、決済結果をモバイル端末、エージェント端末、及び決済端末のうち少なくとも１つに通知する。
【００６９】
図５は、一実施形態に係る第１ユーザ端末による遠距離決済方法を示すフローチャートである。
【００７０】
まず、ステップＳ５１０において、エージェント端末が決済情報及びモバイル端末に格納されたカード情報を指示するカード指示情報をモバイル端末に送信する。例えば、エージェント端末は、カード指示情報が示すカード（例えば、決済しようとするカード）及び決済情報に基づいた決済に対する許容をモバイル端末にリクエストする。
【００７１】
また、一実施形態によれば、エージェント端末が遠距離決済アプリケーションを実行する間に、ユーザ操作の受信に応答してカード指示情報を選択する。例えば、エージェント端末は、カード情報を指示する少なくとも１つのカード指示情報をモバイル端末から受信して格納する。この場合、エージェント端末は、カード情報そのものは格納せず、カード情報を指示するカード指示情報のみを格納する。エージェント端末は、ユーザ操作に応答して少なくとも１つのカード指示情報のうちの１つを選択する。
【００７２】
他の一実施形態によれば、エージェント端末は、少なくとも１つのカード情報を格納する。ここで、エージェント端末は、カード情報を予め暗号化して格納する。エージェント端末は、法律的に他人にカードを委託できる場合にカード情報を格納する。この場合、エージェント端末は、モバイル端末に対して決済情報に対する許容のみをリクエストするだけであって、モバイル端末からカード情報を受信する必要なく、モバイル端末から受信された許容に基づいて決済端末にカード情報を送信する。エージェント端末は、少なくとも１つのカード情報のうち１つのカード情報に対応するカード指示情報を生成する。エージェント端末は、生成されたカード指示情報をモバイル端末に送信する。
【００７３】
そして、ステップＳ５２０において、エージェント端末がモバイル端末から決済情報に対応する決済が許容される場合に応答して、決済端末及びサーバのうち少なくとも１つに前記カード指示情報に対応するカード情報を伝達する。例えば、エージェント端末は、決済端末にカード情報を伝達して決済承認をリクエストし、決済端末は、当該のカード情報に基づいてサーバに対して決済承認をリクエストする。他の例として、エージェント端末は、決済端末を経由することなくサーバに対して直接決済承認をリクエストしてもよい。
【００７４】
一実施形態によってエージェント端末がカード指示情報のみを格納する場合、エージェント端末は、モバイル端末から決済許容と共に決済のためのカード情報を受信する。例えば、エージェント端末は、モバイル端末からカード指示情報に対応するカード情報が受信される場合に応答して、決済端末及びサーバのうち少なくとも１つにカード情報を伝達する。モバイル端末がカード情報を送信したことは、モバイル端末が決済を許容したことを示す。例えば、エージェント端末はカード情報を格納しない場合であり、モバイル端末からガード情報を受信することが決済許容の表示であり、エージェント端末は受信されたカード情報を決済端末に伝達する。
【００７５】
他の一実施形態によってエージェント端末がカード情報を格納する場合、エージェント端末は、モバイル端末から決済許容のみを受信すれば、直ちに決済を行うことができる。したがって、エージェント端末は、モバイル端末からカード情報を受信する必要がない。例えば、エージェント端末は、モバイル端末から決済に対応する決済許容情報が受信された場合に応答して、決済端末及びサーバのうち少なくとも１つにカード情報を伝達する。決済許容情報は、エージェント端末に格納されたカード情報によって決済が許容されたことを指示するモバイル端末からの情報であり得る。更なる実施形態において、決済許容情報は、エージェント端末がカード情報を格納できるか否かを示す。例えば、エージェント端末がカード情報を格納する場合、決済の取引時にモバイル端末がカード情報を送信せずに構成されるが、エージェント端末からモバイル端末に提供されるカード指示情報に基づいて、カード情報に対する決済許容の有無を提供する過程がさらに求められる。
【００７６】
図６及び図７は、一実施形態に係る遠距離決済において第２ユーザ端末６２０が直接的に決済を許容する過程を示す図である。
【００７７】
一実施形態によれば、第１ユーザ端末６１０（例えば、エージェント端末）は、第２ユーザ端末６２０（例えば、モバイル端末）に対して決済許容をリクエストする。モバイル端末は、他の装置を経由することなく直接的にエージェント端末に対して決済許容を通知し、エージェント端末は決済が許容された場合、決済端末６４０に対してカード情報を伝達する。決済端末６４０は、サーバ６３０に対して決済承認をリクエストする。第２ユーザ端末が遠距離決済を直接承認する一連の過程について、下記で図７を参照して詳細に説明する。
【００７８】
まず、ステップＳ７１０において、決済端末６４０は、第１ユーザ端末６１０との接触に応答して、決済情報を生成して第１ユーザ端末６１０に伝達する。例えば、決済端末６４０は、加盟店にインストールされた端末（例えば、ＰＯＳ：ｐｏｉｎｔ  ｏｆ  ｓａｌｅ  ｓｙｓｔｅｍ）であり、決済端末６４０は、加盟店で販売する商品のうち第１ユーザが購入しようとする商品に取付けられた商品コード（例えば、バーコード及びＱＲコード（登録商標）など）を識別することで、上述した決済情報を生成することができる。例えば、決済端末６４０のユーザは、決済端末６４０の光学スキャナを用いてバーコード又はＱＲコードを光学的にスキャンできる。代案的に、エージェント端末で決済情報を生成してもよい。
【００７９】
そして、ステップＳ７２０において、第１ユーザ端末６１０は、第２ユーザ端末６２０に決済情報及びカード指示情報を送信する。ここで、カード指示情報は、第１ユーザによって選択されたり第１ユーザ端末６１０によって自動選択される。第１ユーザ端末６１０は、決済端末６４０から決済情報が受信された場合に応答して、直ちに第２ユーザ端末６２０に決済情報を伝達する。さらに、第１ユーザ端末６１０は、第１ユーザに対するユーザ認証が成功した場合に応答して、第２ユーザ端末６２０に決済情報を伝達する。ただし、これに限定することなく、第１ユーザ端末６１０は、第１ユーザのユーザ操作（例えば、当該の決済情報を送信する操作）を追加的に受信した場合に応答して、決済情報を第２ユーザ端末６２０に伝達してもよい。
【００８０】
次に、ステップＳ７３０において、第２ユーザ端末６２０は、要件充足の可否を判断する。例えば、第２ユーザ端末６２０は、上述したように、決済情報が決済条件を充足するか否かを判断する。決済情報が決済要件を充足する場合に応答して、第２ユーザ端末６２０は自動で当該の決済を許容する。第２ユーザ端末６２０は、決済条件が充足されない場合に応答して、ユーザから決済情報に対する許容操作を受信する。第２ユーザ端末６２０は、決済条件が充足されない場合、第２ユーザが手動で決済を所望するか否かを問い合わせる。第２ユーザ端末６２０は、識別認証動作によって許容操作が有効であるか否かを決定するよう構成される。第２ユーザ端末６２０は許容操作が有効であるか否かを判断し、第２ユーザ端末６２０は許容操作が有効な場合に応答して、カード指示情報に対応するカード情報及び決済許容情報をエージェント端末及びサーバのうち少なくとも１つに提供する。許容操作は、決済を許容する操作として、例えば、指紋認識、顔認識、紅彩認識、及び公認証明書の認証のうち少なくとも１つに関する操作を含む。
【００８１】
一実施形態によれば、第２ユーザ端末６２０は、決済情報の視覚化により第２ユーザへ決済に関する情報を提供する。さらに、第２ユーザ端末６２０は、要件充足の有無の判断結果に対しても視覚化することで、第１ユーザが予め決定した決済条件を充足する決済を行ったか否かを第２ユーザに知らせる。例えば、第２ユーザ端末６２０は、第２ユーザ端末６２０の判断結果、条件を充足したと判断すれば自動決済を許容するものの、第２ユーザに自動決済の許容が発生したことを通知する。
【００８２】
そして、ステップＳ７４０において、第２ユーザ端末６２０は決済を許容する場合に応答して、決済のためのカード情報を第２ユーザ端末６２０に送信する。ただし、これに限定することなく、第１ユーザ端末６１０が予めカード情報を格納する場合には決済許容情報のみを送信する。
【００８３】
次に、ステップＳ７５０において、第１ユーザ端末６１０は、決済端末６４０に対して決済承認をリクエストする。例えば、第１ユーザ端末６１０は、決済端末６４０にカード情報を伝達しながら決済承認をリクエストする。一実施形態によれば、カード指示情報のみを格納する第１ユーザ端末６１０において決済が許容されていない場合、第１ユーザ端末６１０はカード情報を所有していないことから、第１ユーザ端末６１０は、第２ユーザ端末６２０が許可なしで無断に決済端末６４０に対して決済承認をリクエストする行為を防止することができる。
【００８４】
そして、ステップＳ７６０において、決済端末６４０は、第１ユーザ端末６１０から受信した決済承認リクエストをサーバ６３０に伝達する。
【００８５】
次に、ステップＳ７７０において、サーバ６３０は、決済を承認した場合に応答して決済承認を決済端末６４０に伝達する。決済端末６４０は、決済承認に関連する情報を出力して決済を完了する。
【００８６】
図８及び図９は、他の一実施形態に係る遠距離決済において第２ユーザ端末が間接的に決済を許容する過程を示す図である。
【００８７】
一実施形態によれば、第２ユーザ端末８２０（例えば、モバイル端末）は他の装置を経由して間接的に第１ユーザ端末８１０（例えば、エージェント端末）に対して決済許容を通知する。例えば、モバイル端末は決済の許容された場合、決済承認又はカード情報を第１ユーザ端末８１０に送信することなく、決済承認リクエストと共にカード情報をサーバ８３０に伝達する。サーバ８３０が決済承認を決済端末８４０に通知し、決済端末８４０が決済承認を第１ユーザ端末８１０に伝達すると、第１ユーザ端末８１０の第１ユーザは間接的に決済が許容されたものと認知する。第２ユーザ端末８２０が遠距離決済を間接承認する一連の過程は、下記で図９を参照して詳細に説明する。
【００８８】
まず、ステップＳ９１０において、決済端末８４０は、第１ユーザ端末８１０との接触に応答して決済情報を生成して伝達する。決済端末８４０は、上述したステップＳ７１０と類似の動作を行う。
【００８９】
そして、ステップＳ９２０において、第１ユーザ端末８１０は、決済情報及びカード指示情報を伝達する。第１ユーザ端末８１０は、上述したステップＳ７２０と類似の動作を行う。
【００９０】
次に、ステップＳ９３０において、第２ユーザ端末８２０は、上述した決済情報及びカード指示情報が要件を充足するか否かを判断する。上述したように、第２ユーザ端末８２０は、一次的に決済情報がカード指示情報に予め割り当てられた決済条件を充足するか否かを判断し、第２ユーザ端末８２０は、予め割り当てられた決済条件を充足しない場合、２次的に第２ユーザが承認したか否か（例えば、承認操作の受信有無）を判断する。
【００９１】
そして、ステップＳ９４０において、第２ユーザ端末８２０は、決済を許容する場合に応答して決済承認リクエストをサーバ８３０に送信する。ここで、第２ユーザ端末８２０は、決済承認表示を第１ユーザ端末８１０に送信しなくてもよい。第２ユーザ端末８２０は、カード情報を直接サーバ８３０に送信することによって、第１ユーザ端末８１０がカード情報を格納することを基本的に遮断することができ、第１ユーザが許可なしで無断にカードを使用するリスクを減少できる。
【００９２】
次に、ステップＳ９５０において、サーバ８３０は、決済承認を決済端末８４０に伝達する。決済端末８４０は、決済承認に関する結果を出力する。ただし、これに限定されることなく、設計に応じてサーバ８３０は決済承認を第１ユーザ端末８１０及び第２ユーザ端末８２０にも提供できる。
【００９３】
図１０は、他の一実施形態に係る遠距離決済方法を詳細に示すフローチャートである。
【００９４】
まず、ステップＳ１０１０において、第２ユーザ端末（例えば、モバイル端末）が第１ユーザ端末（例えば、エージェント端末）にカード指示情報を伝達する。例えば、第２ユーザ端末は、第２ユーザ端末に格納されるカード情報、第２ユーザ端末で利用可能なカード情報又は第２ユーザ端末の第２ユーザが認証するユーザのカード情報を示すカード指示情報を生成する。一実施形態によれば、遠距離決済のためにモバイル端末及びエージェント端末は共通の決済モジュールを有するアプリケーションがインストールされていてもよい。モバイル端末は、当該のアプリケーションを介してエージェント端末にカード指示情報を送信する。ステップＳ１０１０は、決済以前に実行される動作として、エージェント端末は、決済が実行される前に予めカード指示情報をモバイル端末から受信して格納する。
【００９５】
一実施形態によれば、モバイル端末は、エージェント端末及びユーザ（例えば、第２ユーザ）のうち少なくとも１つからモバイル端末に格納されたカード情報を指示するカード指示情報の生成リクエストを受信する。モバイル端末は、生成リクエストに応答して、カード指示情報を生成してエージェント端末に提供する。例えば、モバイル端末は、第２ユーザによって選択されたカード情報に対応するカード指示情報をエージェント端末に伝達し得る。
【００９６】
また、モバイル端末は、第２ユーザのユーザ操作の受信に応答して、カード指示情報に決済条件を割り当てる。例えば、第２ユーザは、モバイル端末を介して任意のカード指示情報に割り当てられる決済条件を設定する。モバイル端末は、決済に関する項目、エージェント端末の機器に関する項目、及びエージェント端末にインストールされたアプリケーションに関する項目のうち少なくとも１つに対して決済条件を割り当てる。決済に関する項目は、例えば、業種、業者名、業者アドレス、品目、及び金額範囲のうち少なくとも１つを含む。エージェント端末の機器に関する項目は、例えば、機器の電話番号、機器識別番号、機器の位置情報、機器で現在実行されたアプリケーションに関する情報、機器のバッテリ情報のうち少なくとも１つを含む。アプリケーションに関する項目は、アプリケーションによって収集される情報として、例えば、歩行数、周辺温度、ユーザの日程、写真ギャラリー、マップ、ユーザ認証情報、及びメッセージなどに関する情報を含む。
【００９７】
そして、ステップＳ１０２０において、第１ユーザ端末が第１ユーザ端末に格納された複数のカード指示情報のうちカード指示情報を選択して認証する。一実施形態によれば、エージェント端末は、第１ユーザのユーザ操作に応答して遠距離決済アプリケーションが実行される間に、決済するカードに対応するカード指示情報を選択する。その後、エージェント端末は、第１ユーザが適切なユーザであるか否かを検証する。第１ユーザが適切なユーザとして検証された場合に応答して、エージェント端末は決済可能な状態に切り替える。決済可能な状態は、決済のために決済端末との接触を待機する状態を示す。ユーザ検証は、例えば、指紋認識、紅彩認識、顔認識、及びパスワード入力などに基づいて実行される。
【００９８】
次に、ステップＳ１０３０において、第１ユーザ端末は、決済端末に接触したり又は接触することにより検出される。例えば、エージェント端末は、決済可能な状態である場合、決済端末との接触の有無を持続的に検出するよう制御され得る。ここで、接触は、例えば、２つの装置間の直接的な物理的接触、隣接する装置間の電磁場の物理的カップリング、及び装置間で確立された通信チャネルを通した接触のうち少なくとも１つを含む。
【００９９】
そして、ステップＳ１０４０において、第１ユーザ端末は、決済端末との接触が検出された場合に応答して、第１ユーザ端末は第１ユーザ端末にカード指示情報が含まれているか否かを判断する。一実施形態によれば、第１ユーザ端末は、カード指示情報を所有している場合に応答して、下記のステップＳ１０５１〜Ｓ１０５４により第２ユーザ端末にカード指示情報を伝達し、第２ユーザ端末から決済情報に基づいてカード情報を受信する。
【０１００】
一実施形態によれば、第１ユーザ端末が実際の決済用カードのようなカード情報を決済に使用するために予め格納している場合に応答して、下記のステップＳ１０６０〜Ｓ１０８０による決済処理を行う。
【０１０１】
次に、ステップＳ１０５１において、第１ユーザ端末がカード指示情報を所有している場合に応答して、第１ユーザ端末は第２ユーザ端末にカード指示情報と共に決済情報を伝達する。また、エージェント端末は、決済情報と共にモバイル端末に対して決済許容リクエストを送信する。さらに、モバイル端末は、エージェント端末からエージェント端末に関する機器情報及びエージェント端末にインストールされた他のアプリケーションによって収集された付加情報をエージェント端末からさらに受信する。
【０１０２】
本明細書に係る機器情報はエージェント端末の機器に関する情報として、例えば、電話番号、機器識別番号、位置情報、現在実行されたアプリケーションに関連する情報、バッテリ情報のうち少なくとも１つを含む。付加情報は、上述した他のアプリケーションによって追加的に収集され得る情報として、例えば、歩行数、周辺温度、ユーザの日程、写真ギャラリー、マップ、ユーザ認証情報、及びメッセージなどに関する情報を含む。
【０１０３】
他の一実施形態によれば、モバイル端末がエージェント端末に対して決済情報以外の他の情報の送信をリクエストしてもよい。例えば、モバイル端末は、カード指示情報に割り当てられた決済条件がエージェント端末の機器及びエージェント端末にインストールされた他のアプリケーションのうち少なくとも１つに関する場合に応答して、エージェント端末に関する機器情報及び他のアプリケーションによって収集される付加情報のうち少なくとも１つをエージェント端末にリクエストする。エージェント端末は、リクエストされた情報をモバイル端末に伝達する。
【０１０４】
そして、ステップＳ１０５２において、モバイル端末は、決済条件を充足するか否かを判断する。一実施形態によれば、モバイル端末の第２ユーザが決済許容リクエストに対してリアルタイムに確認することが難しい場合であっても、モバイル端末は、自動に決済条件が充足するか否かを判断して決済を許容し得る。決済条件は、第２ユーザによって予め定義された条件であり得る。
【０１０５】
一実施形態によれば、モバイル端末は、決済に関する予め設定された複数の項目のうち少なくとも１つの項目が決済条件として指定された場合に応答して、指定された決済条件のうち少なくとも１つを決済情報が充足するか否かを判断する。また、モバイル端末は、エージェント端末の機器に関する予め設定された複数の項目のうち少なくとも１つの項目が決済条件として指定された場合に応答して、指定された決済条件のうち少なくとも１つを機器情報が充足するか否かを判断する。モバイル端末は、他のアプリケーションに関わった予め設定された複数の項目のうち少なくとも１つの項目が決済条件として指定された場合に応答して、指定された決済条件のうち少なくとも１つを付加情報が充足するか否かを判断する。
【０１０６】
例えば、モバイル端末が第２ユーザのユーザ操作に基づいて、任意のカード指示情報に対して決済条件として「業者：ＡＢＣ地域のＤＥＦ店」、「金額範囲：１０万ウォン〜１２万ウォン」、「決済回数：１回」、「第１ユーザ：ＨＩＪ」について予め割り当てた場合を仮定する。第１ユーザであるＨＩＪが決済をリクエストするとき、指定した決済条件を充足する場合に応答して、モバイル端末は自動決済を許容する。決済を許容した場合、ステップＳ１０５４においてモバイル端末は決済端末にカード情報を伝達する。
【０１０７】
他の一実施形態によれば、エージェント端末が自体に決済条件の充足有無を判断してもよい。例えば、エージェント端末は、カード指示情報に割り当てられた決済条件を決済情報が充足する場合に応答して、決済情報及びカード指示情報に対応するカード情報をモバイル端末に対してリクエストする。エージェント端末は、決済情報が決済条件を充足する場合、決済情報及びカード表示情報をモバイル端末に送信する。エージェント端末は、決済条件を決済情報が充足しない場合に応答して、決済情報及びカード指示情報の送信を排除する。したがって、エージェント端末が自体に決済条件の充足可否を判断し、充足しない場合にはカード指示情報を送信しないことから、遠距離決済装置のデータ通信量を節減することができる。一方、エージェント端末の第１ユーザには充足されない条件が通知されてもよい。
【０１０８】
次に、ステップＳ１０５３において、決済条件が充足されない場合に応答して、モバイル端末は当該の決済を第２ユーザが許容したか否かを判断する。一実施形態によれば、モバイル端末は、エージェント端末から決済リクエストが受信されて決済条件が割り当てられていない場合、又は予め割り当てられた決済条件に充足されない場合に応答して、リアルタイムに第２ユーザに許容操作をリクエストする。具体的に、モバイル端末は決済条件が充足されない場合に応答して、ユーザから決済情報に対する許容操作を受信し、許容操作が有効であるか又は許容されたものであるかを判断する。
【０１０９】
一実施形態によれば、モバイル端末又は予め検証／許容されたモバイル端末のユーザは、カード指示情報に対して許容操作を予め予め指定する。許容操作は、例えば、生体信号検証、パスワード入力などの操作であり得る。生体信号検証は、例えば、指紋認識、顔認識、及び紅彩認識などを含む。例えば、モバイル端末は、許容操作としてユーザから生体信号を受信する。モバイル端末は、生体信号にマッチングする予め登録された生体情報をデータベースから検索する。モバイル端末は、生体信号にマッチングする生体情報が検索された場合に応答して、許容操作が有効であるか否かを判断する。
【０１１０】
例えば、エージェント端末からモバイル端末に対する許容操作のリクエスト及びモバイル端末からエージェント端末に対する許容の有無は、通話、ＳＭＳ、メッセンジャー、アプリケーションなどの通信を介して伝えられる。エージェント端末が決済許容操作のリクエストと共にモバイル端末に送信されたカード指示情報に対応するカード情報を予め格納している場合、エージェント端末はカード情報を決済端末と共有できるように許容する。
【０１１１】
そして、ステップＳ１０５４において、第２ユーザ端末は、第１ユーザ端末を経由して決済端末にカード情報を伝達する。すなわち、第２ユーザ端末はカード情報を第１ユーザ端末に送信し、第１ユーザ端末は受信されたカード情報を決済端末に送信する。一実施形態によれば、モバイル端末は、決済許容に関する情報をエージェント端末に伝達する。決済が許容された場合、モバイル端末は決済するカード情報をエージェント端末を介して決済端末に伝達して決済を行う。エージェント端末は、カード情報を格納することを防止できるため、カード情報をエージェント端末に格納することなく、エージェント端末を介して決済端末に送信できる。
【０１１２】
決済が許容されなければ、エージェント端末はステップＳ１０２０の動作を実行でき、エージェント端末の第１ユーザは他のカード指示情報を選択する。
【０１１３】
次に、ステップＳ１０６０において、決済端末はサーバに決済承認をリクエストする。例えば、決済端末は、伝達されたカード情報をサーバに伝達しながら決済承認をリクエストする。ただし、これに限定されることなく、モバイル端末又はエージェント端末がサーバに決済承認リクエスト及びカード情報を伝達することもできる。
【０１１４】
そして、ステップＳ１０７０において、サーバは決済承認の有無を判断する。
【０１１５】
次に、ステップＳ１０８０において、サーバは、決済が承認された場合に応答して決済を処理する。決済が承認されない場合には、第１ユーザ端末で他のカード情報に対応する他のカード指示情報を選択するためのステップＳ１０２０の動作を再び行ったり、第２ユーザ端末から第１ユーザ端末に他のカード指示情報を伝達するためのステップＳ１０１０による動作を再び開始できる。
【０１１６】
図１１は、一実施形態に係る遠距離決済過程を詳細に示す図である。
【０１１７】
まず、ステップＳ１１０１において、決済端末１４０は決済リクエスト状態で待機する。決済リクエスト状態は、決済リクエストの受信を待機する状態として、第１ユーザ端末１１０との接触に対する検出が連続的（ｃｏｎｔｉｎｕｏｕｓｌｙ）、日常的（ｒｏｕｔｉｎｅｌｙ）、又は選択的（ｓｅｌｅｃｔｉｖｅｌｙ）に行われる状態を示す。例えば、決済リクエスト状態は、決済端末１４０が決済されなければならない財貨やサービスに基づいて決済情報を生成した状態として、決済情報を第１ユーザ端末１１０に伝達するために待機する状態を示す。
【０１１８】
そして、ステップＳ１１０２において、第２ユーザ端末１２０は第１ユーザ端末１１０にカード指示情報を伝達する。第１ユーザ端末１１０は、第２ユーザ端末１２０からカード指示情報を受信する。カード指示情報の伝達は決済が行われる前に予め実行される。例えば、第２ユーザ端末は、第２ユーザ端末に格納されたカード情報のうち１つを指示するカード指示情報を生成し得る。第２ユーザ端末は、生成されたカード指示情報を第１ユーザ端末に提供し得る。
【０１１９】
次に、ステップＳ１１１０において、第１ユーザ端末１１０は、決済するカード指示情報を選択した後本人認証を行う。一実施形態によれば、第１ユーザ端末１１０は、第１ユーザ端末１１０で発生した決済に対応する決済情報を第２ユーザ端末１２０に送信する。例えば、第１ユーザ端末１１０は、第１ユーザから受信した第１ユーザ操作に応答して、第１ユーザ端末１１０に格納されたカード指示情報を選択する。第１ユーザ端末１１０は、第１ユーザに対するユーザ認証により本人認証が成功した場合に応答して、第１ユーザ端末１１０を決済可能な状態に切り替える。
【０１２０】
そして、ステップＳ１１２０において、第１ユーザ端末１１０と決済端末１４０との間の接触は、第１ユーザ端末１１０又は決済端末１４０のうちいずれか１つによって検出される。上述したように、第１ユーザ端末１１０及び決済端末１４０間の接触は近接場通信（ＮＦＣ）などに基づいて検出される。ただし、これに限定されることなく、第１ユーザ端末１１０と決済端末１４０との間の樹立され得る様々な方式の通信に基づいて測定される２つの端末間の距離及び通信状態などに基づいて接触が検出される。例えば、決済情報は、上述した接触に応答して生成され、生成された決済情報が第１ユーザ端末に提供されたり、又は接触に応答して予め生成された決済情報が決済端末１４０から第１ユーザ端末１１０に提供される。
【０１２１】
次に、ステップＳ１１３０において、第１ユーザ端末１１０は第２ユーザ端末１２０に決済情報を伝達する。第２ユーザ端末１２０は第１ユーザ端末１１０から決済情報を受信する。例えば、第１ユーザ端末１１０は決済端末１４０との接触に応答して、決済情報及び選択されたカード指示情報を第２ユーザ端末１２０に送信する。
【０１２２】
そして、ステップＳ１１４０において、第２ユーザ端末１２０は決済条件の充足有無を判断する。
【０１２３】
次に、ステップＳ１１４１において、第２ユーザ端末１２０は前記決済情報が決済条件を充足する場合に応答して、前記第２ユーザ端末に格納されたカード情報を前記第１ユーザ端末に送信する。例えば、第２ユーザ端末１２０は、選択されたカード指示情報に割り当てられた決済条件を決済情報が充足する場合に応答して、選択されたカード指示情報に対応するカード情報を第１ユーザ端末１１０に送信する。図１１ではカード情報を決済カード情報であると示している。
【０１２４】
そして、ステップＳ１１５０において、第２ユーザ端末１２０は決済条件が充足されない場合に応答して、第２ユーザが直接当該の決済を許容したか否かを判断する。第２ユーザ端末１２０は、第２ユーザに決済情報、機器情報、付加情報などを視覚化して提供する。第２ユーザは、提供された情報に基づいて決済を許容するか否かを決定する。第２ユーザが決済を許容していない場合、第２ユーザ端末１２０は初期状態に戻る。
【０１２５】
次に、ステップＳ１１５１において、第２ユーザによって決済が許容された場合に応答して、第２ユーザ端末１２０はカード情報を第１ユーザ端末１１０に伝達する。
【０１２６】
そして、ステップＳ１１４２において、第１ユーザ端末１１０は、第２ユーザ端末１２０から受信したカード情報を決済端末１４０に伝達する。例えば、第１ユーザ端末１１０はカード情報を格納せず、直ちに決済端末１４０に伝達する。ただし、これに限定されることなく、第１ユーザ端末１１０は、決済情報及びカード情報に基づいて決済端末及びサーバのうち少なくとも１つに対して決済をリクエストする。
【０１２７】
次に、ステップＳ１１６０において、決済端末１４０は、カード情報と共に決済承認リクエストをサーバ１３０に伝達する。そして、ステップＳ１１７０において、サーバ１３０は承認手続を行う。次に、ステップＳ１１８０において、サーバ１３０は、承認手続が成功した場合に応答して決済承認を決済端末１４０に伝達する。決済端末１４０は、決済承認を視覚的に出力する。第１ユーザ端末１１０は、サーバ１３０又は決済端末１４０から決済承認に対する通知が提供され、決済承認を視覚的に出力する。
【０１２８】
上述した図４〜図１２では、遠距離決済システムの各動作の主体を上述したものに限定されることなく、設計に応じて変更され得る。また、図４〜図１２を参照して説明した動作は必要に応じて互いに結合して実行され得る。
【０１２９】
図１２〜図１４は、一実施形態に係る遠距離決済の活用例示を示す図である。
【０１３０】
図１２は、付加情報の例示として移動距離による決済許容過程を示す図である。
【０１３１】
モバイル端末１２２０は、カード指示情報に割り当てられる決済条件として、開始位置１２９１を基準として閾値移動距離以上にエージェント端末１２１０が移動した場合に決済を自動許容する条件を設定する。モバイル端末１２２０は、決済条件を割り当てた時点でのエージェント端末１２１０の位置を開始位置１２９１として指定する。例えば、モバイル端末１２２０は、エージェント端末１２１０から決済リクエストと共に、決済リクエスト送信時のエージェント端末１２１０の現在の位置情報を受信し、現在の位置と開始位置１２９１とを比較して閾値移動距離以上である場合に応答して当該の決済を許容する。
【０１３２】
図１２に示すように、開始位置１２９１で第１ユーザのエージェント端末１２１０が決済リクエストを送信する場合、モバイル端末１２２０は決済リクエストを許容しなくてもよい。
【０１３３】
中間位置１２９２にてエージェント端末１２１０が決済リクエストを送信する場合、モバイル端末１２２０は中間位置１２９２に関する情報をエージェント端末１２１０から受信する。モバイル端末１２２０は、開始位置１２９１と中間位置１２９２とを比較し、閾値移動距離未満として判断される場合に応答して、当該の決済リクエストを無視する。
【０１３４】
最終位置１２９３にてエージェント端末１２１０が決済端末１２４０との接触により生成された決済リクエストを送信する場合、モバイル端末１２２０は、最終位置１２９３に関する情報をエージェント端末１２１０から受信する。図１２に示すように、モバイル端末１２２０は、開始位置１２９１と最終位置１２９３とを比較し、閾値移動距離以上として判断される場合に応答して当該の決済リクエストを許容する。
【０１３５】
図１３は、付加情報の例示として決済発生位置による決済許容過程を示す図である。
【０１３６】
モバイル端末１３２０は、カード指示情報に対する決済条件として、予め定めた領域内に存在する業者で発生する決済を自動許容する条件を設定する。例えば、モバイル端末１３２０は、決済情報に含まれた業者アドレスに基づいて、決済が発生した位置を推定し、推定された位置が予め定めた領域内として判断される場合に決済を許容する。他の例として、モバイル端末１３２０は、エージェント端末１３１０から決済リクエストと共に現在の位置情報を受信し、現在の位置が予め定めた領域内として判断される場合に決済を許容する。
【０１３７】
また、モバイル端末１３２０は、カード指示情報に対する決済条件として複数の領域に存在する業者で発生する決済を自動許容する条件を設定する。一実施形態に係るモバイル端末１３２０は、各領域ごとに条件を別に設定してもよく、例えば、モバイル端末１３２０は、各領域ごとに金額範囲を相異に設定してもよい。
【０１３８】
例えば、モバイル端末１３２０は、第１領域１３９１内に存在する第１業者１３４０に対しては第１金額範囲内の決済を自動許容し、第２領域１３９２内に存在する第２業者１３４１に対しては第２金額範囲内の決済を自動許容するように決済条件を割り当てる。第１金額範囲は、第２金額範囲よりも金額限度が高く設定される。モバイル端末１３２０は、第３領域１３９３で発生する決済は許容できないことがある。上述したように、領域ごとの差等金額制限によってモバイル端末１３２０の第２ユーザは、第１ユーザが特定領域内の業者を用いるよう誘導でき、当該の業者を利用できない場合（例えば、休憩であるか購入物品がなかった場合など）次善の策として他の業者を用いるように誘導する。
【０１３９】
図１４は、決済条件として設定され得る様々な情報に対する項目の例示を示す図である。
【０１４０】
一実施形態によれば、モバイル端末１４２０は決済条件として、決済に関する項目、エージェント端末１４１０そのものの機器に関する項目、及びエージェント端末１４１０にインストールされたアプリケーションに関する項目などを設定する。図１４に示すように、モバイル端末１４２０は決済を許容する場合、自動許容メッセージを視覚化する。自動許容メッセージは、エージェント端末１４１０で発生した決済を自動許容したというメッセージであって、決済情報、機器情報、及び付加情報のうち少なくとも１つを含む。第２ユーザは、自動許容メッセージを介して第１ユーザによって代理決済された内訳を遠距離であっても便利に確認することができる。
【０１４１】
図１４に示すように、モバイル端末１４２０は、カード指示情報に割り当てられた決済条件のうちの１つとして、周辺温度に対する閾値温度を設定する。例えば、モバイル端末１４２０は、エージェント端末１４１０からカード指示情報と共に決済リクエストを受信しながらエージェント端末１４１０により測定された温度情報１４１１を共に受信する。モバイル端末１４２０は、測定された周辺温度であるＡＡ度が閾値温度以上である場合に決済を自動許容する。
【０１４２】
モバイル端末１４２０は、決済条件のうちの１つとして特定アプリケーションの実行の有無を設定してもよい。例えば、モバイル端末１４２０は、エージェント端末１４１０からカード指示情報と共にアプリケーション実行情報１４１２を受信する。モバイル端末１４２０は、Ｂアプリケーションが実行された場合に応答して決済を自動許容する。
【０１４３】
モバイル端末１４２０は、決済条件のうちの１つとして決済時間範囲を設定してもよい。例えば、モバイル端末１４２０は、エージェント端末１４１０からカード指示情報と共に決済時刻情報１４１３を受信する。モバイル端末１４２０は、決済時刻情報１４１３が示す決済時刻ＣＣ時が決済時間範囲内である場合に応答して決済を自動許容する。
【０１４４】
モバイル端末１４２０は、決済条件のうちの１つとして金額範囲を設定してもよい。例えば、モバイル端末１４２０は、エージェント端末１４１０からカード指示情報と共に決済金額情報１４１４を受信する。モバイル端末１４２０は、決済金額情報１４１４が示す決済金額ＤＤが金額範囲内である場合に応答して決済を自動許容する。
【０１４５】
モバイル端末１４２０は、決済条件のうちの１つとして業者分類を設定してもよい。例えば、モバイル端末１４２０は、エージェント端末１４１０からカード指示情報と共に業者情報１４１５を受信する。モバイル端末１４２０は、業者情報１４１５に含まれた業者分類ＥＥが指定された業者分類のうち少なくとも１つに一致する場合に応答して決済を自動許容する。
【０１４６】
モバイル端末１４２０は、決済条件のうちの１つとして電話番号を設定してもよい。例えば、モバイル端末１４２０は、エージェント端末１４１０からカード指示情報と共に機器情報１４１６を受信する。モバイル端末１４２０は、機器情報１４１６に含まれたエージェント端末１４１０の電話番号が指定された電話番号に一致する場合に応答して決済を自動許容する。
【０１４７】
一実施形態によれば、モバイル端末１４２０は、例えば、モバイル端末１４２０のユーザインターフェースをベースに各情報に対する項目を複合的に設定した決済条件をカード指示情報に割り当ててもよい。例えば、モバイル端末１４２０は、決済条件として、業者分類がベーカリー（ｂａｋｅｒｙ）であり一定金額以下の決済のみを許容する条件を設定してもよい。他の例として、モバイル端末１４２０は決済条件として、動画講義アプリケーションで１つ以上の講義を受講した場合、一定の金額以下の決済を許容する条件を設定してもよい。更なる例として、モバイル端末１４２０は閾値温度以上である場合、特定領域内の特定の業者で一定金額以下の決済を許容する条件を設定してもよい。更なる例として、モバイル端末１４２０は、エージェント端末にインストールされた万歩計（登録商標）アプリケーションによって測定された歩行数が閾値歩行数以上である場合、特定の業者で一定金額以下の決済を許容する条件を設定してもよい。更なる例として、モバイル端末１４２０は、特定電話番号を有するユーザ端末で一日金額の限度内で一回決済費用（例えば、一食の費用）が一定の金額以下の決済を許容する条件を設定してもよい。更なる例として、モバイル端末１４２０は、特定領域内で特定数量の特定品目に対する決済を許容する条件を設定してもよい。上述した決済条件は、様々な例の一部に該当する一例であって、主ユーザは代理ユーザの自動決済承認を許容する条件に対して様々な項目を設定し得る。
【０１４８】
以上で説明した実施形態は、ハードウェア構成要素、ソフトウェア構成要素、又はハードウェア構成要素及びソフトウェア構成要素の組合せで具現される。例えば、実施形態で説明した装置及び構成要素は、例えば、プロセッサ、コントローラ、ＡＬＵ（ａｒｉｔｈｍｅｔｉｃ  ｌｏｇｉｃ  ｕｎｉｔ）、デジタル信号プロセッサ（ｄｉｇｉｔａｌ  ｓｉｇｎａｌ  ｐｒｏｃｅｓｓｏｒ）、マイクロコンピュータ、ＦＰＡ（ｆｉｅｌｄ  ｐｒｏｇｒａｍｍａｂｌｅ  ａｒｒａｙ）、ＰＬＵ（ｐｒｏｇｒａｍｍａｂｌｅ  ｌｏｇｉｃ  ｕｎｉｔ）、マイクロプロセッサー、又は命令（ｉｎｓｔｒｕｃｔｉｏｎ）を実行して応答する異なる装置のように、１つ以上の汎用コンピュータ又は特殊目的コンピュータを用いて具現される。処理装置は、オペレーティングシステム（ＯＳ）及びオペレーティングシステム上で実行される１つ以上のソフトウェアアプリケーションを実行する。また、処理装置は、ソフトウェアの実行に応答してデータをアクセス、格納、操作、処理、及び生成する。理解の便宜のために、処理装置は１つが使用されるものとして説明する場合もあるが、当該技術分野で通常の知識を有する者は、処理装置が複数の処理要素（ｐｒｏｃｅｓｓｉｎｇ  ｅｌｅｍｅｎｔ）及び／又は複数類型の処理要素を含むことが分かる。例えば、処理装置は、複数のプロセッサ又は１つのプロセッサ及び１つのコントローラを含む。また、並列プロセッサ（ｐａｒａｌｌｅｌ  ｐｒｏｃｅｓｓｏｒ）のような、他の処理構成も可能である。
【０１４９】
ソフトウェアは、コンピュータプログラム、コード、命令、又はこれらのうちの１つ以上の組合せを含み、希望通りに動作するように処理装置を構成し、独立的又は結合的に処理装置に命令する。ソフトウェア及び／又はデータは、処理装置によって解釈され、処理装置に命令又はデータを提供するためのあらゆる類型の機械、構成要素、物理的装置、仮想装置、コンピュータ格納媒体又は装置、或いは送信される信号波を介して永久的又は一時的に具現化される。ソフトウェアは、ネットワークに接続されたコンピュータシステム上に分散され、分散された方法で格納されるか又は実行される。ソフトウェア及びデータは１つ以上のコンピュータ読み取り可能な記録媒体に格納される。
【０１５０】
本実施形態による方法は、多様なコンピュータ手段を介して実施されるプログラム命令の形態で具現され、コンピュータ読み取り可能な記録媒体に記録される。記録媒体は、プログラム命令、データファイル、データ構造などを単独又は組合せて含む。記録媒体及びプログラム命令は、本発明の目的のために特別に設計して構成されたものでもよく、コンピュータソフトウェア分野の技術を有する当業者にとって公知のものであり使用可能なものであってもよい。コンピュータ読み取り可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、及びＲＯＭ、ＲＡＭ、フラッシュメモリなどのようなプログラム命令を保存して実行するように特別に構成されたハードウェア装置を含む。プログラム命令の例としては、コンパイラによって生成されるような機械語コードだけでなく、インタプリタなどを用いてコンピュータによって実行される高級言語コードを含む。ハードウェア装置は、本発明の動作を実行するために１つ以上のソフトウェアモジュールとして作動するように構成してもよく、その逆も同様である。
【０１５１】
上述したように実施形態をたとえ限定された図面によって説明したが、当技の術分野で通常の知識を有する者であれば、前記に基づいて様々な技術的な修正及び変形を適用することができる。例えば、説明された技術が説明された方法と異なる順序で実行されたり、及び／又は説明されたシステム、構造、装置、回路などの構成要素が説明された方法と異なる形態で結合又は組合わせられたり、他の構成要素又は均等物によって置き換えたり置換されても適切な結果を達成することができる。
【符号の説明】
【０１５２】
１００：遠距離決済システム
１１０：第１ユーザ端末
１２０：第２ユーザ端末
１３０：サーバ
【図１】
2018018522.tif 000003
【図２】
2018018522.tif 000004
【図３】
2018018522.tif 000005
【図４】
2018018522.tif 000006
【図５】
2018018522.tif 000007
【図６】
2018018522.tif 000008
【図７】
2018018522.tif 000009
【図８】
2018018522.tif 000010
【図９】
2018018522.tif 000011
【図１０】
2018018522.tif 000012
【図１１】
2018018522.tif 000013
【図１２】
2018018522.tif 000014
【図１３】
2018018522.tif 000015
【図１４】
2018018522.tif 000016